(57)【特許請求の範囲】
【請求項１】
先端に刃体が設けられた柄本体の外周に対して、保護カバーが前記刃体を覆う被覆位置と、該刃体を露出する露出位置間を移動自在に配置された医療用刃物において、
前記保護カバーの内壁面には、該保護カバーが前記被覆位置に位置する際に前記刃体に当接、或いは刃体が撓うときの運動軌跡内に位置して該刃体に当接可能な撓い抑制部材が突出され、前記柄本体の外周には、前記保護カバーが露出位置に位置する際に、前記撓い抑制部材の移動を許容する許容部が形成されていることを特徴とする医療用刃物。
【請求項２】
前記刃体はベントタイプであり、前記保護カバーが被覆位置に位置する際、前記撓い抑制部材が前記刃体の屈曲されている面に対して当接、或いは刃体が撓うときの運動軌跡内に位置して前記面に当接可能に形成されていることを特徴とする請求項１に記載の医療用刃物。
【請求項３】
前記柄本体の外周には、前記保護カバーが前記刃体を被覆している状態で、該保護カバーの移動をロック解除不能にロックするロック手段が設けられていることを特徴とする請求項１又は請求項２に記載の医療用刃物。
【請求項４】
前記保護カバーが前記ロック手段によりロックされているときに、前記撓い抑制部材が前記刃体の先端を超えた位置に位置することを特徴とする請求項３に記載の医療用刃物。
【発明の詳細な説明】
【技術分野】
【０００１】
本発明は、医療用刃物、詳しくは保護カバーを備えた医療用刃物に関するものである。
【背景技術】
【０００２】
例えば、医療用刃物としてメスは、切れることが重要とされており、するどい刃先エッジを備えている。この刃先エッジにより手術中に助手が執刀医師に手渡すときや、手術前の準備中に誤って手術関係者の手等を損傷する虞があるため、従来特許文献１〜４に記載の保護カバー付きメスが提案されている。
【０００３】
特許文献１のメスは、ナイフ型の刃体をハンドルの先端に有するとともにハンドルの長手方向に保護カバーがスライド自在に設けられ、不使用時には刃体が該保護カバーで覆われ、使用時には保護カバーが移動されて刃体が露出して使用できるようにされている。
【０００４】
特許文献２のメスは、ハンドルの中にナイフ形の刃体をスライド自在に収納可能に構成されており、不使用時には刃体がハンドル内に収納され、使用時に刃体がハンドルから突出するようにされている。
【０００５】
特許文献３、特許文献４のメスは、刃体が屈曲されたベントタイプとされている。そして、両特許文献３，４のメスはハンドルの長手方向に保護カバーがスライド自在に設けられ、不使用時には刃体が該保護カバーで覆われ、使用時には保護カバーが移動されて刃体が露出して使用できるようにされている。又、特許文献４では、保護カバーには屈曲された刃体を収納可能に膨出部が形成されて、刃体を覆う位置に保護カバーが移動されたときに該膨出部内に刃体を収納するようにされている。又、いずれのメスも輸送中等の不使用時には、保護カバーで刃体を覆う様にされている。
【特許文献１】米国特許第５３０９６４１号明細書
【特許文献２】米国特許第６２５４６２１号明細書
【特許文献３】米国特許第６５６９１７５号明細書
【特許文献４】米国意匠特許第５０４５１３号
【発明の開示】
【発明が解決しようとする課題】
【０００６】
ところで、このような医療用刃物では、刃体がハンドルに固定され、刃体の刃部は非固定状態となっている。一般に医療用刃物は、厚みが０．１５〜０．２０ｍｍ程度であるため、輸送中や誤って落下させてしまったとき、刃体が撓りやすい。前記保護カバーで刃体が覆われている状態で、刃体が撓ると、保護カバーの内壁に接近して接触し刃体の刃先エッジに損傷を受ける虞がある。
【０００７】
特に、特許文献３のようなベントタイプのメスの場合は、保護カバーに接触しやすいものとなっている。一方、特許文献４では、刃体を収納する膨出部が設けられているため、特許文献３のメスに比較して刃体の刃先エッジの損傷は受けにくくなっている。しかし、特許文献４では、刃体の近傍に膨出部が設けられているため、使用時にハンドル側へ保護カバーが移動されて、刃体が露出された状態になっても、該膨出部の膨らみが刃体に近接していることにより使用者が刃体の刃先エッジを目視しにくい問題がある。
【０００８】
本発明の目的は、運搬中や落下させた時のように刃体に負荷が加わったとき、刃体の撓いを抑制、或いは防止することができるとともに刃先エッジの損傷を抑制でき、又、使用中に刃体が目視しにくくなることがない医療用刃物を提供することにある。
【課題を解決するための手段】
【０００９】
上記目的を達成するために、請求項１の発明は、先端に刃体が設けられた柄本体の外周に対して、保護カバーが前記刃体を覆う被覆位置と、該刃体を露出する露出位置間を移動自在に配置された医療用刃物において、前記保護カバーの内壁面には、該保護カバーが前記被覆位置に位置する際に前記刃体に当接、或いは刃体が撓うときの運動軌跡内に位置して該刃体に当接可能な撓い抑制部材が突出され、前記柄本体の外周には、前記保護カバーが露出位置に位置する際に、前記撓い抑制部材の移動を許容する許容部が形成されていることを特徴とする医療用刃物を要旨とするものである。
【００１０】
請求項２の発明は、請求項１において、前記刃体はベントタイプであり、前記保護カバーが被覆位置に位置する際、前記撓い抑制部材が前記刃体の屈曲されている面に対して当接、或いは刃体が撓うときの運動軌跡内に位置して前記面に当接可能に形成されていることを特徴とする。
【００１２】
請求項３の発明は、請求項１又は請求項２において、前記柄本体の外周には、前記保護カバーが前記刃体を被覆している状態で、該保護カバーの移動をロック解除不能にロックするロック手段が設けられていることを特徴とする。
【００１３】
請求項４の発明は、請求項３において、前記保護カバーが前記ロック手段によりロックされているときに、前記撓い抑制部材が前記刃体の先端を超えた位置に位置することを特徴とする。なお、本明細書において、撓い抑制部材が刃体の先端を超えた位置とは、該撓い抑制部材が刃体の延びる方向において刃体の基端を基準として刃体の先端よりも遠位の位置をいう。
【発明の効果】
【００１４】
請求項１の発明によれば、運搬中や落下させた時のように刃体に負荷が加わったとき、保護カバーの内壁面に突出した撓い抑制部材が刃体に当接、或いは刃体が撓うときの運動軌跡内に位置しているため、刃体の撓いを抑制、或いは防止することができ、刃先エッジの損傷を抑制できる効果を奏する。又、保護カバーを移動させて刃体を露出させた場合、保護カバーには、刃体が目視しにくくなるものがないため、使用中に保護カバーにより刃体が目視しにくくない効果を奏する。又、請求項１の発明によれば、保護カバーを露出位置に移動させた際、柄本体に干渉することがなく、保護カバーの移動操作が損なわれることがない。
【００１５】
請求項２の発明によれば、ベントタイプの刃体に対して請求項１の効果を実現できる。
【００１６】
請求項３の発明によれば、ロック解除不能なロック手段によりロックされた保護カバーは進退移動できないため、刃体の被覆保持ができ、医療用刃物を安全に処理することができる。
【００１７】
請求項４の発明によれば、前記保護カバーが前記ロック手段によりロックされているときに、撓い抑制部材が刃体を超えて位置するため、撓い抑制部材が保護カバーの外部からの物等の侵入を防止することができる。
【発明を実施するための最良の形態】
【００１８】
以下、本発明の医療用刃物として眼科手術用メス（以下、単に手術用メスという）に具体化した一実施形態を図１〜５を参照して説明する。
図１（ａ）、（ｂ）に示すように、手術用メスの柄本体１０は把持部２０と該把持部２０の先端に同軸的に設けられた支持部３０とからなる。把持部２０は片手により握って把持できる長さを有するとともに断面円形をなし、直径が基端（図１（ａ）において右端）に行くほど小さくなるようにされている。柄本体１０の材質は、限定されるものではなく、例えば合成樹脂やステンレス等の金属で形成されている。
【００１９】
支持部３０は先端部を除いて円柱状に形成されるとともに把持部２０の先端部の外径よりも小径を有する。なお、把持部２０の先端部の外径は、把持部２０の最大外径となる。支持部３０の先端の周面にはテーパー面３１が形成されている。又、支持部３０の先端面において、支持部３０の軸心から偏倚した部位には刃体３５が取付け支持されている。刃体３５は中央部と基端部との間において、テーパー面３１側に向かって９０度未満に屈曲されたベントタイプであつて、平面視された場合（図２（ｂ）参照）、先端部が山形に形成されて一対の刃先３５ａを備えている（鎗状刀）。図４に示すように支持部３０の外周面には、テーパー面３１から把持部２０に向かって、支持部３０の軸心に平行に許容部としての許容溝３２が延出されている。
【００２０】
図１（ａ）、（ｂ）に示すように支持部３０には保護カバー４０が取付けされている。保護カバー４０は図３（ａ）に示すように円筒状に形成されるとともにその内周面が断面円形に形成されている。保護カバー４０の材質は限定されるものではないが、本実施形態では、合成樹脂により成形されている。そして、保護カバー４０は図１（ａ）、（ｂ）に示すように支持部３０の外周面に対して支持部３０軸心方向に沿って摺動自在に嵌合されている。
【００２１】
保護カバー４０には、その軸心方向に沿って、内外の両周面を貫通するスリット４１が形成されている。ここで、スリット４１の延出方向とは、保護カバー４０の軸心方向のことである。
【００２２】
又、支持部３０の外周面において、その軸心方向よりも先端側寄り位置には、突起３６が軸心方向とは直交するように突出され、スリット４１内に相対移動自在に係入されている。突起３６は断面円形に形成されている。なお、突起３６の形状は断面円形に限定されるものではなく、断面三角形状や、多角形形状であってもよい。そして、保護カバー４０がその軸心方向に沿って移動する際に、突起３６がスリット４１の内側面に摺接することにより該軸心方向へガイドするガイド機能を有するとともに支持部３０に対する保護カバー４０の軸心周りの相対回動を規制する。なお、突起３６は、スリット４１を介して保護カバー４０から出ない長さを有するように形成されている。このように、突起３６がスリット４１から突出しない構成にすると、手術用メスを使用する際に、突起３６が邪魔になることがない。ここでスリット４１において、把持部２０に近い端部を近位端部といい、遠い端部を遠位端部という。
【００２３】
スリット４１の近位端部には、細スリット４１ａが形成されている。細スリット４１ａは、前記スリット４１幅よりも小幅であり、すなわち、突起３６の大きさ（本実施形態では直径）よりも幅が短くされている。該細スリット４１ａが軸心方向に延出されることによりスリット４１は近位端部において外部と連通されている。又、スリット４１の遠位端部には、細スリット４１ｂが形成されている。細スリット４１ｂは、前記スリット４１よりも小幅である、すなわち、突起３６の大きさ（本実施形態では直径）よりも幅が短くされている。該細スリット４１ｂが軸心方向に延出されることによりスリット４１は遠位端部においても外部と連通されている。これらの細スリット４１ａ，４１ｂは、突起３６よりも大きさ（本実施形態では直径）よりも幅が短いため、スリット４１から、突起３６の脱出は不能にされている。この細スリット４１ａ，４１ｂ、及びスリット４１により組み付け時に保護カバー４０が図示しない治具等によりその弾性力に抗して拡開されて支持部３０に対して取着される。なお、保護カバー４０は前記治具等による拡開が解除されると、その弾性力により縮径して、支持部３０に嵌合される。
【００２４】
近位端部及び遠位端部には、図３（ｂ）に示すように、係止部４２，４３が設けられている。係止部４２は、近位端部に対してスリット４１の延出方向とは交差する方向（本実施形態では、直交する方向）に切込４４及び切り溝４５が延出形成されて、両者の間に係合片４６が形成されることにより構成されている。係合片４６は切り溝４５が形成されていることにより弾性を有する。又、係合片４６は切込４４の周部の一部を構成する。
【００２５】
又、切込４４はその奥部が突起３６の係入可能な大きさに形成されるとともに、入り口の幅は突起３６の大きさ（本実施形態では直径）よりも若干短くされている。そして、突起３６が入り口を介して切込４４内に係入する際には、係合片４６の弾性力に抗して該入り口を開くことにより突起３６が切込４４の奥部に係入可能とされている。そして、切込４４内に突起３６が係入されている状態では、保護カバー４０はその軸心方向への移動ができないようにロックされるとともに、図１（ｂ）に示すように、刃体３５を覆うようにされている。以下、図１（ｂ）で示す刃体３５を覆う位置を被覆位置という。
【００２６】
係止部４３は、遠位端部に対してスリット４１の延出方向とは交差する方向に切込４７及び切り溝４８が延出形成されて、両者の間に係合片４９が形成されることにより構成されている。係合片４９は切り溝４８が形成されていることにより弾性を有する。又、係合片４９は、切込４７の周部の一部を構成する。又、切込４７はその奥部が突起３６の係入可能な大きさに形成されるとともに、入り口の幅は突起３６の大きさ（本実施形態では直径）よりも若干短くされている。そして、突起３６が入り口を介して切込４７内に係入する際には、係合片４９の弾性力に抗して該入り口を開くことにより突起３６が切込４７の奥部に係入可能とされている。
【００２７】
そして、切込４７内に突起３６が係入されている状態では、保護カバー４０はその軸心方向への移動ができないようにロックされるとともに、図１（ａ）に示すように、刃体３５を露出するようにされている。以下、図１（ａ）で示す刃体３５を露出する位置を露出位置という。又、露出位置に保護カバー４０が位置する際、保護カバー４０の基端部は把持部２０の先端面に当接されている。又、保護カバー４０の基端部の外周面には等間隔に操作突部５０が突出されている。又、切り溝４５と切り溝４８との間には、周回する複数の溝５３が刻設されている。把持部２０を片手で握った際、親指を該溝５３又は操作突部５０に対して押圧することにより保護カバー４０を軸心方向に沿って又はその軸心の周りで回動操作する。
【００２８】
又、保護カバー４０において、支持部３０の許容溝３２と対応する先端部の内壁面には、撓い抑制部材としての撓い抑制突起４０ａが保護カバー４０の径方向に棒状に突出されている。撓い抑制突起４０ａは、図５に示すように保護カバー４０が被覆位置に位置する際に刃体３５の屈曲方向の面側であって、先端部の中央に当接可能となるようにかつ刃先３５ａには接触しないように形成されている。又、撓い抑制突起４０ａは図４に示すように保護カバー４０が露出位置に位置するときは、許容溝３２内に係入されるように形成されている。なお、許容溝３２は、保護カバー４０が露出位置にロック又はロック解除するために回動されても、撓い抑制突起４０ａが該溝の壁面に接触しない幅を有している。
【００２９】
さて上記のように構成された手術用メスの作用について説明する。
図１（ｂ）、図５に示すように保護カバー４０が被覆位置に位置する場合、突起３６が切込４４の奥部に係合されている状態であり、この状態では保護カバー４０は係合片４６によりロックされている。この状態では、保護カバー４０をその軸心方向に操作しようとしても保護カバー４０が移動することがなく、刃体３５は保護カバー４０により被覆されている。又、この状態では、撓い抑制突起４０ａは、図５に示すように刃体３５の屈曲方向の面側であって、先端部の中央に当接されている。従って、運搬中や落下させたときのように、刃体３５に負荷が加わっても刃体３５は屈曲方向に撓うことがない。又、この状態で、手術中に助手から執刀医師に安全に手渡すことができる。
【００３０】
執刀医師が使用する場合、まず、把持部２０を片手で握った状態で、その片手の親指を例えば操作突部５０に当て、保護カバー４０をその軸心の周りで係合片４６から突起３６が離脱する方向へ回動させると係合片４６の弾性力に抗して突起３６が切込４４から離脱されスリット４１の近位端に相対的に移動する。
【００３１】
この状態で、執刀医師は親指により操作して保護カバー４０を被覆位置から露出位置に移動操作させる。このとき、撓い抑制突起４０ａは許容溝３２内に係入される。
そして、保護カバー４０が把持部２０の先端面に当接すると、突起３６はスリット４１の遠位端部に位置する（図１（ａ）参照）。この状態で続いて執刀医師は、先ほどと同様に把持部２０を片手で握った状態で、その片手の親指を例えば操作突部５０に当て、保護カバー４０をその軸心の周りで切込４７内に係入する方向（軸心方向と交差する方向）へ回動させると、係合片４９の弾性力に抗して突起３６が切込４７内に係入されロックされる。この一連の親指の操作により図１（ａ）に示すように、刃体３５は保護カバー４０から露出された状態となる。この状態では、保護カバー４０は、ロックされているため、保護カバー４０を軸心方向に移動操作しようとしても、移動することがない。
【００３２】
そして、手術用メスの使用が終了した場合は、前述した説明とは逆順に操作することにより再び図１（ｂ）に示すように保護カバー４０を被覆位置にロックした状態に戻す。このとき、撓い抑制突起４０ａは、再び図５に示すように刃体３５に当接される。
【００３３】
このようにして、本実施形態の手術用メスは、保護カバー４０の被覆位置と露出位置間の移動操作、各位置におけるロック操作及び解除を、片手の親指だけの操作で行うことができる。なお、前記ロック操作及び解除を行う場合、把持部２０を、片手の中指、薬指、小指で握った状態とし、親指と人指し指で保護カバー４０を挟んだ状態で回動操作を行ってもよい。この場合でも片手だけで、保護カバー４０の移動操作、ロック操作及び解除を２段モーションで行うことができる。
【００３４】
上記実施形態は下記の効果を奏する。
（１）  本実施形態の眼科手術用メスによれば、保護カバー４０の内壁面には、該保護カバー４０が被覆位置に位置する際に刃体３５に当接する撓い抑制突起４０ａが設けられている。この結果、運搬中や落下させた時のように刃体３５に負荷が加わったとき、保護カバー４０の撓い抑制突起４０ａが刃体３５に当接しているため、刃体３５の撓いを防止することができ、刃先エッジの損傷を抑制できる。
【００３５】
（２）  本実施形態の眼科手術用メスは、刃体３５はベントタイプであり、保護カバー４０が被覆位置に位置する際、撓い抑制突起４０ａが刃体３５の屈曲されている面に対して当接可能に形成されている。この結果、ベントタイプの刃体を有する手術用メスに対して（１）の効果を実現できる。
【００３６】
（３）  本実施形態の眼科手術用メスでは、柄本体１０の外周には、保護カバー４０が露出位置に位置する際に、撓い抑制突起４０ａの移動を許容する許容溝３２が形成されている。この結果、本実施形態では、保護カバー４０を露出位置に移動させた際、撓い抑制突起４０ａが柄本体１０の許容溝３２内に入るため、柄本体１０に干渉することがなく、保護カバー４０の移動操作が損なわれることがない。
【００３７】
（第２実施形態）
次に、第２実施形態の眼科手術用メス（以下、手術用メスという）を図６〜１０を参照して説明する。なお、説明の便宜上、図６、図７（ａ）、図８（ｂ）、（ｃ）、（ｅ）及び図１０（ａ）〜（ｅ）において、上側を背側といい、下側を腹側という。又、図７（ｂ）、（ｃ）、図８（ａ）、（ｄ）、及び図９（ａ）〜（ｃ）において、上側を右側といい、下側を左側という。又、図８（ｅ）において、左側を右側といい、右側を左側という。
【００３８】
図６（ａ）、（ｂ）に示すように、手術用メスの柄本体１１０は把持部１２０と該把持部１２０の先端に同軸的に設けられた支持部１３０とからなる。把持部１２０は、第１実施形態の把持部２０と同形状及び同材質からなる。
【００３９】
図７（ａ）〜（ｃ）に示すように支持部１３０は柱状に形成されており、断面形状が略四角状のスライドレール部１３０Ａと、該スライドレール部１３０Ａに対して一体に形成されるとともに、図１０（ａ）〜（ｅ）に示すように周面が断面円弧状をなす腹部１３０Ｂとからなる。なお、図７（ａ）〜（ｃ）では、説明の便宜上、後述する刃体１６０は省略されている。腹部１３０Ｂの周面は、把持部１２０の周面と面一にされている。又、腹部１３０Ｂ周面の基端側には複数の溝１３１が併設されている。
【００４０】
スライドレール部１３０Ａの右側面及び左側面には、一対の摺接面１３２，１３３が互いに平行にかつ支持部１３０の軸心方向に沿って形成されている。摺接面１３２は、図７（ｂ）、（ｃ）に示すように把持部１２０の先端面１２０ａから把持部１２０の軸心方向に沿って延出された平面とされている。一方、摺接面１３３には、先端部を除いた残りの部位全体にスライド溝１３４が凹設されている。該スライド溝１３４は、図７（ｃ）に示すように把持部１２０の先端面を端壁面とするように形成されている。図７（ｂ）、（ｃ）に示すようにスライド溝１３４の底部１３４ａは、支持部１３０の軸心方向に沿って延出された平面とされるとともに摺接面１３２と平行に形成されている。
【００４１】
底部１３４ａにおいて、把持部１２０の先端面１２０ａを壁面とするように断面四角形状をなす第１係合凹部１３５が凹設されている。第１係合凹部１３５の開口部において、先端面１２０ａとは１８０°反対側の端縁には斜状に形成されたガイド面１３５ａが形成されている。該ガイド面１３５ａはスライド溝１３４の底部１３４ａに連結されている。
【００４２】
又、底部１３４ａにおいて、その長さ方向の中央には第１係合凹部１３５と同じ断面形状及び大きさを有する第２係合凹部１３６が凹設されている。第２係合凹部１３６の開口部において、長さ方向の両端縁にはそれぞれ斜状に形成されたガイド面１３６ａ，１３６ｂが形成されている。両ガイド面１３６ａ，１３６ｂはスライド溝１３４の底部１３４ａにそれぞれ連結されている。又、底部１３４ａにおいて、第２係合凹部１３６よりもスライド溝１３４の先端寄り部位には、第２係合凹部１３６よりも長さ方向（支持部１３０の軸心方向）の長さが長い第３係合凹部１３７が凹設されている。
【００４３】
又、スライドレール部１３０Ａの先端面にはテーパー面１３８が形成されている。支持部１３０の先端面において、支持部１３０の軸心から偏倚した部位には刃体１６０が取付け支持されている。刃体１６０は中央部と基端部との間において、テーパー面１３８側に向かって９０度未満に屈曲されたベントタイプであつて、平面視された場合（図９（ｂ）参照）、先端部が山形に形成されて一対の刃先１６０ａを備えている。
【００４４】
図７（ａ）〜（ｃ）に示すようにスライドレール部１３０Ａの背側周面には、許容部としての許容溝１３９がテーパー面１３８から把持部１２０に向かって、支持部１３０の軸心に平行に延出されている。
【００４５】
図６（ａ）〜（ｃ）、図９（ａ）〜（ｃ）に示すように支持部１３０のスライドレール部１３０Ａには保護カバー１４０が取付けされている。保護カバー１４０は図８（ｅ）に示すように略半円筒状に形成されている。保護カバー１４０の内周面が左内側面１４０ａ、右内側面１４０ｂ及び両内側面を連結する内頂壁面１４０ｃから構成され、腹側が開放されている。
【００４６】
保護カバー１４０は、左内側面１４０ａ，右内側面１４０ｂ及び内頂壁面１４０ｃがスライドレール部１３０Ａの摺接面１３３、摺接面１３２、及び背側周面に対し摺接されることによりスライドレール部１３０Ａの軸心方向に沿って摺動自在に嵌合されている。保護カバー１４０の材質は、本実施形態では、合成樹脂により成形されているが、限定されるものではない。
【００４７】
図８（ｂ）に示すように保護カバー１４０において、スライド溝１３４に対応する側部の基端部には、切込１４１が保護カバー１４０の軸心方向に沿って切り込み形成されている。この切込１４１により保護カバー１４０には弾性を有する係合片１４２が形成されている。保護カバー１４０において、スライド溝１３４に対応する側部内面において、係合片１４２及び該係合片１４２から保護カバー１４０の先端に向かった領域には段部１４３が形成されている。段部１４３は、スライド溝１３４に対して摺動自在に嵌合されている。又、係合片１４２の先端内面には突起１４４が形成されている。突起１４４は、係合片１４２の弾性力により第１係合凹部１３５、第２係合凹部１３６及び第３係合凹部１３７に係合可能に形成されている。
【００４８】
ここで突起１４４が第２係合凹部１３６に係合されるとき、保護カバー１４０は図９（ａ）に示すように刃体１６０を覆うように配置される。この位置を以下、被覆位置という。そして、この位置に保護カバー１４０が位置している状態で、刃体１６０側や、或いは把持部１２０側に保護カバー１４０が押圧されると、突起１４４は第２係合凹部１３６のガイド面１３６ａ，１３６ｂによりガイドされて第２係合凹部１３６から脱出可能とされている。
【００４９】
又、突起１４４が第１係合凹部１３５に係合されるとき、保護カバー１４０は図９（ｂ）に示すように刃体１６０を露出するように配置される。この位置を以下、露出位置という。そして、この位置に保護カバー１４０が位置している状態で、第１係合凹部１３５から刃体１６０側に保護カバー１４０が押圧されると、突起１４４は第１係合凹部１３５のガイド面１３５ａによりガイドされて、第１係合凹部１３５から脱出可能とされている。
【００５０】
又、突起１４４が第３係合凹部１３７に係合されると、保護カバー１４０は図９（ｃ）に示すように刃体１６０の露出を保持した状態となる。この保護カバー１４０は、この位置に位置している状態では、第３係合凹部１３７から刃体１６０側へ保護カバー１４０が押圧されても、許容されている遊び部分の移動終了後は段部１４３がスライド溝１３４の端部に係合され移動不能にされている。又、保護カバー１４０がこの位置に位置している状態では、第３係合凹部１３７から把持部１２０側に保護カバー１４０が押圧されても、突起１４４が第３係合凹部１３７の端部に係合することにより保護カバー１４０が移動不能にされている。この結果、突起１４４は、第３係合凹部１３７から脱出不能とされ、保護カバー１４０はこの位置から移動できないようにされている。第２実施形態ではこの第３係合凹部１３７に突起１４４が係合した位置を以下、ロック位置という。このように本実施形態では、段部１４３と係合可能なスライド溝１３４の端部及び、第３係合凹部１３７によりロック手段が構成され、このロック手段により保護カバー１４０が刃体１６０を被覆している状態で、保護カバー１４０の移動をロック解除不能にしている。なお、第２実施形態のロック位置とは、保護カバー１４０が前記したように遊び部分の移動が許容される範囲を含むようにしているが、保護カバー１４０が第３係合凹部１３７に係合した際、遊び部分の移動がないように構成してもよく、この場合、ロック位置とは１ポイントの位置となる。
【００５１】
又、保護カバー１４０において、支持部１３０の許容溝１３９と対応する先端部の内頂壁面１４０ｃには、撓い抑制部材としての撓い抑制突起１５０が保護カバー１４０の径方向に棒状に一体に突出されている。なお、撓い抑制突起１５０は別部材にして保護カバー１４０に組み付け、或いは接着、溶着等の接合方法により一体にしてもよい。撓い抑制突起１５０は、図６（ａ）に示すように保護カバー１４０が被覆位置に位置する際に刃体１６０の屈曲方向の面側であって、先端部の中央に当接可能となるようにかつ刃先１６０ａには接触しないように形成されている。又、撓い抑制突起１５０は図６（ｂ）、図９（ｂ）に示すように保護カバー１４０が露出位置に位置するときは、許容溝１３９内に係入されるように形成されている。又、撓い抑制突起１５０は、図６（ｃ）、図９（ｃ）に示すようにロック位置に位置する際は、刃体１６０の先端を越えた位置に位置するように配置されている。
【００５２】
なお、図７（ａ）、（ｂ）及び図１０（ｅ）に示すようにスライドレール部１３０Ａにおいて、第１係合凹部１３５の背側壁部は係入口１３５ｂが切りかかれて形成されている。係入口１３５ｂと対応するスライドレール部１３０Ａの背側の周面には斜状の平面を有するガイド面１３５ｃが形成されている。
【００５３】
又、図６（ｂ）に示す保護カバー１４０が露出位置に位置する際に、段部１４３と対応するスライドレール部１３０Ａの背側周面には、図７（ａ）、（ｂ）、図１０（ｃ）に示すように斜状の平面を有するガイド面１３４ｂが形成されている。
【００５４】
図１０（ａ）、（ｂ）、（ｄ）に示すようにスライドレール部１３０Ａの周面において、摺接面１３２と背側頂面とを結ぶコーナーは断面円弧状に形成されている。又、図１０（ａ）、（ｂ）、（ｄ）に示すようにスライドレール部１３０Ａの周面において、ガイド面１３４ｂ、１３５ｃを除いた左側面と背側頂面とを結ぶコーナーは断面円弧状に形成されている。
【００５５】
保護カバー１４０は、支持部１３０に取り付けされる際に突起１４４が係入口１３５ｂに対応して配置された状態で、スライドレール部１３０Ａに対し背側から押圧されることにより嵌合される。このとき、保護カバー１４０の段部１４３、及び突起１４４がガイド面１３４ｂ、１３５ｃに対して押圧当接された際、係合片１４２がその弾性に抗して開かれる。そして、ガイド面１３５ｃに係合片１４２の突起１４４がガイド面１３５ｃを介して第１係合凹部１３５内に係入されるとともに段部１４３がスライド溝１３４係入されることによりスライド溝１３４内に係合片１４２が係入される。
【００５６】
保護カバー１４０の基端部において、背側頂面には押圧操作方向を示す表示部１７１が形成された操作部１７０が設けられている。又、操作部１７０から先端より位置には、複数の溝１７３が併設されている。
【００５７】
さて上記のように構成された手術用メスの作用について説明する。
図６（ａ）、図９（ａ）に示すように保護カバー１４０が被覆位置に位置する場合、突起１４４が第２係合凹部１３６に係合されている状態である。
【００５８】
この状態では係合片１４２により保護カバー１４０は、ロックされているため、保護カバー１４０をその軸心方向に操作しようとする場合、小さな力では保護カバー１４０が移動することがなく、刃体１６０は保護カバー１４０により被覆されている。
【００５９】
又、この状態では、撓い抑制突起１５０は、図６（ａ）に示すように刃体１６０の屈曲方向の面側であって、先端部の中央に当接されている。従って、手術用メスを運搬中や落下させたときのように、刃体１６０に負荷が加わっても刃体１６０は屈曲方向に撓うことがない。又、この状態で、手術中に助手から執刀医師に手術用メスを安全に手渡すことができる。
【００６０】
執刀医師がこの手術用メスを使用する場合、まず、執刀医師が把持部１２０を片手で握った状態で、その片手の親指を操作部１７０に当てて操作して保護カバー１４０を被覆位置から露出位置に移動操作させる。このとき、突起１４４は、係合片１４２の弾性力に抗してガイド面１３６ｂによりガイドされて第２係合凹部１３６から脱出され、底部１３４ａを移動する。又、撓い抑制突起１５０は許容溝１３９内に係入される。
【００６１】
そして、保護カバー１４０が把持部１２０の先端面に当接すると、突起１４４は係合片１４２の弾性力により第１係合凹部１３５内に係入されロックされる。この一連の親指の操作により図６（ｂ）、図９（ｂ）に示すように、刃体１６０は保護カバー１４０から露出された状態となる。この状態では、保護カバー１４０は、ロックされているため、保護カバー１４０を小さな力で軸心方向に移動操作しようとしても、移動することがない。
【００６２】
そして、手術用メスの使用が終了した場合は、執刀医師が把持部１２０を片手で握った状態で、その親指を操作部１７０に当てて操作して保護カバー１４０を露出位置からロック位置に移動操作させる。
【００６３】
この操作により図６（ｃ）に示すように保護カバー１４０はロック位置に移動する。このとき、突起１４４は第２係合凹部１３６内にガイド面１３６ｂにガイドされて一旦係入されるが、該突起１４４はガイド面１３６ａ（図９（ｃ）参照）にガイドされて第２係合凹部１３６を脱出し、底部１３４ａを介して係合片１４２の弾性力により第３係合凹部１３７内に係入する。
【００６４】
又、保護カバー１４０が露出位置からロック位置に移動する際、撓い抑制突起１５０は、刃体１６０に一旦当接する。しかし、保護カバー１４０が刃体１６０の弾性力に抗してさらに移動されるため、刃体１６０が弾性変形することにより抑制突起１５０はその移動が許容され、図６（ｃ）、図９（ｃ）に示すように、刃体１６０を越した位置に位置する。このロック位置に保護カバー１４０が位置すると、突起１４４が第３係合凹部１３７から脱出不能となるとともに撓い抑制突起１５０に刃体１６０が係合されて露出位置への移動が阻害されるため、保護カバー１４０が被覆位置や露出位置へ移動されることはない。
【００６５】
上記のように前記実施形態は下記の効果を奏する。本実施形態は、第１実施形態の（１）、（２）、（３）と同様の効果を奏する他、下記の効果を奏する。
（１）  本実施形態の手術用メスでは、段部１４３と係合可能なスライド溝１３４の端部及び、第３係合凹部１３７によりロック手段が構成され、このロック手段により保護カバー１４０が刃体１６０を被覆している状態で、保護カバー１４０の移動をロック解除不能にしている。この結果、ロック解除不能なロック手段によりロックされた保護カバー１４０は進退移動できないため、刃体の被覆保持ができ、医療用刃物を安全に処理することができる。
【００６６】
（２）  本実施形態では、ロック手段を構成する、段部１４３と係合可能なスライド溝１３４の端部及び第３係合凹部１３７は、保護カバー１４０が被覆位置から反露出位置側へ移動した際に保護カバー１４０をロックするようにした。この結果、保護カバー１４０を被覆位置から直線的に操作するだけで、保護カバーを容易に移動不能にロックすることができる。
【００６７】
（３）  本実施形態では、保護カバー１４０がロックされているときに、撓い抑制部材としての撓い抑制突起１５０が刃体１６０の先端を超えた位置に位置するようにした。この結果、撓い抑制突起１５０が保護カバー１４０の外部からの物等の侵入を防止することができる。
【００６８】
なお、本発明は前記各実施形態に限定されるものではなく、下記のように具体化してもよい。
○  第１実施形態では、撓い抑制突起４０ａは、図５に示すように保護カバー４０が被覆位置に位置する際に刃体３５の屈曲方向の面において、先端部の中央に当接可能となるように形成した。この構成に代えて、下記のように変更してもよい。刃体３５はベントタイプであるため、屈曲している方向に撓いやすい。このため、保護カバー４０が被覆位置に位置する際に、刃先３５ａの撓う方向（すなわち、屈曲する方向）において、離間した位置であって、該刃体３５が撓うときの運動軌跡内に位置するように撓い抑制突起４０ａを形成してもよい。このように構成すると、保護カバー４０が被覆位置に位置した状態において、刃体３５に負荷がかかったとき、刃体３５は若干撓うが、刃体３５は撓い抑制突起４０ａに当接されてその撓いが抑制される。
【００６９】
○  第１実施形態では、撓い抑制突起４０ａの係入を許容する許容部として許容溝３２を形成したが、第１実施形態において、許容溝３２の溝底に相当する部分まで、支持部３０の周面を削り込みして支持部３０に許容部としての段部を形成してもよい。このようにしても、該段部により保護カバー４０を露出位置に移動させた際、撓い抑制突起４０ａが柄本体１０にぶつかることがなく、保護カバー４０の移動操作が損なわれることがない。
【００７０】
○  前記各実施形態では、撓い抑制部材（撓い抑制突起）を棒状の突起に形成したが、形状は限定されるものではなく、円錐、円錐台、角柱、円柱等の形状にしてもよい。
○  把持部２０の断面形状は、片手で握ることができる形状であればよく、断面円形以外の、断面形状が三角形、楕円形、又は多角形や、へらのような平板形状であってもよい。
【００７１】
○  前記各実施形態では医療用刃物としてはベントタイプの刃体を有する眼科手術用メスに具体化したが、これに限定されるものではない、ベントタイプ以外の刃体であってもよい。又、医療用刃物としては他に脳神経用の微細手術用メスを挙げることができる。又、解剖等に使用される大型のメスや、病理標本切り出し用刃物（トリミングナイフ）の医療用刃物に本発明を具体化してもよい。
【００７２】
○  前記各実施形態では、撓い抑制突起を刃体の屈曲方向の面側であって先端部の中央に当接可能としたが、刃体の基端部に当接、或いは刃体が撓うときの運動軌跡内に位置して該刃体の基端部に当接可能としてもよい。
【図面の簡単な説明】
【００７３】
【図１】（ａ）は第１実施形態の刃体が露出状態の眼科手術用メスの正面図、（ｂ）は同じく刃体が覆われている状態の眼科手術用メスの正面図。
【図２】（ａ）は柄本体の側面図、（ｂ）は柄本体の支持部の平面図。
【図３】（ａ）は保護カバーの側面図、（ｂ）は保護カバーの正面図。
【図４】第１実施形態の刃体が露出状態の眼科手術用メスの要部断面図。
【図５】第１実施形態の刃体が覆われている状態の眼科手術用メスの要部断面図。
【図６】（ａ）は第２実施形態の刃体が覆われている状態の眼科手術用メスの正面図、（ｂ）は刃体が露出状態の眼科手術用メスの正面図、（ｃ）は保護カバーがロック位置に位置する状態の眼科手術用メスの正面図。
【図７】（ａ）は第２実施形態の柄本体の支持部の正面図、（ｂ）は同じく平面図、（ｃ）は同じく一部切り欠き断面図。
【図８】（ａ）は第２実施形態の保護カバーの平面図、（ｂ）は同じく正面図、（ｃ）は同じく正断面図、（ｄ）は同じく底面図、（ｅ）は側面図。
【図９】（ａ）は図６のＡ−Ａ線断面図、（ｂ）は図６のＢ−Ｂ−線断面図、（ｃ）は図６のＣ−Ｃ線断面図。
【図１０】（ａ）は図７のＤ−Ｄ線断面図、（ｂ）は図７のＥ−Ｅ線断面図、（ｃ）は図７のＦ−Ｆ線断面図、（ｄ）は図７のＧ−Ｇ線断面図、（ｅ）は図７のＨ−Ｈ線断面図。
【符号の説明】
【００７４】
１０…柄本体、２０…把持部、３０…支持部、３２…許容溝（許容部）、
３５…刃体、４０…保護カバー、１１０…柄本体、１２０…把持部、
１３０…支持部、１３４…スライド溝、１３７…第３係合凹部（スライド溝１３４の端部とともにロック手段を構成する）、１３９…許容溝（許容部）、
１４０…保護カバー、１６０…刃体。
【図１】
0004829644.tif 000002
【図２】
0004829644.tif 000003
【図３】
0004829644.tif 000004
【図４】
0004829644.tif 000005
【図５】
0004829644.tif 000006
【図６】
0004829644.tif 000007
【図７】
0004829644.tif 000008
【図８】
0004829644.tif 000009
【図９】
0004829644.tif 000010
【図１０】
0004829644.tif 000011